(57)【要約】      （修正有）【課題】新型コロナウィルスが人の口や鼻へ到達するのを防止することができるマスクフィルタを提供する。【解決手段】人がマスクを装着する際、人とマスクの間に挟まれるマスクフィルタ１０は、２つの珪藻土顆粒粉収容部１１ａ、１１ｂを有し、各珪藻土顆粒粉収容部１１ａ、１１ｂはメソポア珪藻土からなる多数の珪藻土顆粒粉１２を含む。【選択図】図２
0003228857.tif 000002
【実用新案登録請求の範囲】
【請求項１】
人がマスクを装着する際、前記人と前記マスクの間に挟まれるマスクフィルタであって、
メソポア珪藻土からなる顆粒粉を含むことを特徴とするマスクフィルタ。
【請求項２】
少なくとも２つの前記顆粒粉を収容する収容部を備え、
前記人と前記マスクの間に挟まれる場合、各前記収容部は前記人の口と鼻孔にそれぞれ相対することを特徴とする請求項１に記載のマスクフィルタ。
【請求項３】
前記顆粒粉の直径は０．５ｍｍ〜１．０ｍｍであることを特徴とする請求項１又は２に記載のマスクフィルタ。
【請求項４】
肌色に着色されていることを特徴とする請求項１乃至３のいずれか１項に記載のマスクフィルタ。
【請求項５】
メソポア珪藻土からなる顆粒粉を含むことを特徴とするマスク。
【考案の詳細な説明】
【技術分野】
【０００１】
本考案は、マスクフィルタ及びマスクに関する。
【背景技術】
【０００２】
ウィルスへの感染拡大防止策として、例えば、医療従事者には、いわゆるＮ９５マスク（例えば、非特許文献１参照。）の使用が推奨されている。Ｎ９５マスクは通常のマスクよりも目開きが小さく、他人の咳やくしゃみ等によって生じるウィルスを含んだ飛沫をシャットアウトし、ウィルスの人の口や鼻への到達を抑制することができるとされている。
【０００３】
ところで、近年、新型コロナウィルスへの感染拡大が懸念され、この感染拡大防止策として、種々の施策が行われているが、その中にも、従来と同様、Ｎ９５マスクの使用が含まれる。
【先行技術文献】
【特許文献】
【０００４】
【非特許文献１】“Ｎ９５マスク”、［online］、〔令和２年７月２１日検索〕、インターネット＜ＵＲＬ：http://www. http://www.sts-japan.com/products/n95/＞
【考案の概要】
【考案が解決しようとする課題】
【０００５】
しかしながら、Ｎ９５マスクの目開きは、最小で１００ｎｍ程度である一方、新型コロナウィルスの大きさは約９０ｎｍであり、新型コロナウィルスはＮ９５マスクを素通りしてしまうため、新型コロナウィルスが人の口や鼻へ到達するのを防止することができないという問題がある。
【０００６】
本考案の目的は、 新型コロナウィルスが人の口や鼻へ到達するのを防止することができるマスクフィルタ及びマスクを提供することにある。
【課題を解決するための手段】
【０００７】
上記目的を達成するために、本考案のマスクフィルタは、人がマスクを装着する際、前記人と前記マスクの間に挟まれるマスクフィルタであって、メソポア珪藻土からなる顆粒粉を含むことを特徴とする。
【考案の効果】
【０００８】
本考案によれば、メソポア珪藻土からなる顆粒粉を含むため、マスクフィルタの吸着性や吸湿性が向上し、新型コロナウィルスを含む飛沫やエアロゾルを確実に吸着して人の口や鼻孔へ到達するのを防止することができる。また、吸着した飛沫やエアロゾルを速やかに乾燥させることができ、もって、飛沫やエアロゾルに含まれる新型コロナウィルスを不活性化することができる。
【図面の簡単な説明】
【０００９】
【図１】本考案の実施の形態に係るマスクフィルタの構成を概略的に示す正面図である。
【図２】図１における線Ａ―Ａに沿う断面図である。
【図３】マスクフィルタの装着方法を説明するための図である。
【図４】マスクフィルタの変形例の構成を概略的に示す正面図である。
【図５】本考案の要旨が適用されたマスクの構成を概略的に示す正面図である。
【考案を実施するための形態】
【００１０】
以下、本考案の実施の形態について図面を参照しながら詳細に説明する。
【００１１】
図１は、本実施の形態に係るマスクフィルタの構成を概略的に示す正面図であり、図２は、図１における線Ａ―Ａに沿う断面図である。図１及び図２において、マスクフィルタ１０は、正面視略楕円状を呈し、略中央において、長手方向に沿って配置される２つの珪藻土顆粒粉収容部１１ａ，１１ｂを有する。マスクフィルタ１０は、２つの略楕円状の生地を貼り合わせて構成され、縫い目によって珪藻土顆粒粉収容部１１ａ，１１ｂと他部分を区分けする。マスクフィルタ１０を構成する２つの生地は、例えば、肌色に着色された麻や綿からなる。
【００１２】
珪藻土顆粒粉収容部１１ａ，１１ｂは、マスクフィルタ１０を構成する２つの生地の間に画成された袋状部であり、内部に多数の珪藻土顆粒粉１２を収容する。珪藻土顆粒粉１２は、いわゆるメソポア珪藻土からなる大きさが、例えば、０．５ｍｍ〜１．０ｍｍの粒状体である。但し、珪藻土顆粒粉１２の大きさは０．５ｍｍ〜１．０ｍｍに限られない。
【００１３】
メソポア珪藻土は、稚内珪藻土とも呼ばれ、地圧・地熱によって硬く押し固められて形成される硬質岩石から得られる珪藻土であり、非常に小さな穴（メソポア）を多数有する。各メソポアの直径は２ｎｍ〜５０ｎｍであるため、各珪藻土顆粒粉１２の表面には多数のメソポアが開口する。各メソポアの開口径は平均で略１０ｎｍである。これら多数のメソポアの開口の存在により、珪藻土顆粒粉１２は多くの湿気を取り込むことができ、高い吸着性と吸湿性を実現する。具体的に、珪藻土顆粒粉１２は、直径が５０ｎｍ以上のポアを有する通常の珪藻土からなる顆粒粉の数倍の吸湿性を有する。
【００１４】
図３は、マスクフィルタ１０の装着方法を説明するための図である。図３に示すように、マスクフィルタ１０は、人１４がマスク１３を装着する際、人１４とマスク１３の間に挟まれる。マスクフィルタ１０の重さは、該マスクフィルタ１０が人１４とマスク１３の間に挟まれる際に自重によってずり落ちない重さに設定され、例えば、１５ｇに設定される。なお、マスクフィルタ１０のずり落ちを防止するために、マスクフィルタ１０のマスク１３と相対する面に、例えば、マジックテープ（登録商標）等を縫い付けてもよい。
【００１５】
また、マスクフィルタ１０において、珪藻土顆粒粉収容部１１ａは、人１４がマスク１３を装着する際に人１４の鼻孔に相対するように配置され、珪藻土顆粒粉収容部１１ｂは、人１４の口に相対するように配置される。さらに、マスクフィルタ１０は、上下左右に関して対称に構成され、表裏において形態の差が無い。
【００１６】
マスクフィルタ１０によれば、多数のメソポア珪藻土からなる珪藻土顆粒粉１２を含む珪藻土顆粒粉収容部１１ａ，１１ｂを有するため、高い吸着性と吸湿性を備える。これにより、他人の咳やくしゃみ等によって生じる新型コロナウィルスを含む飛沫やエアロゾルを確実に吸着して人の口や鼻孔へ到達するのを防止することができるとともに、吸着した飛沫やエアロゾルを速やかに乾燥させることができ、もって、飛沫やエアロゾルに含まれる新型コロナウィルスを不活性化することができる。さらに、マスクフィルタ１０はその高い吸湿性により、人１４がマスク１３を装着した際の蒸れを解消することができる。
【００１７】
また、マスクフィルタ１０では、珪藻土顆粒粉収容部１１ａは、人１４がマスク１３を装着する際に人１４の鼻孔に相対するように配置され、珪藻土顆粒粉収容部１１ｂは、人１４の口に相対するように配置されるため、飛沫やエアロゾルに含まれる新型コロナウィルスが人１４の鼻孔や口に到達するのを確実に防止することができる。
【００１８】
さらに、マスクフィルタ１０では、各珪藻土顆粒粉１２の直径が０．５ｍｍ〜１．０ｍｍであるため、体積に対する表面積の比を大きくすることができ、結果として、多数のメソポアを開口させることができる。これにより、より高い吸着性と吸湿性を実現することができる。
【００１９】
上述したマスクフィルタ１０は、は、上下左右に関して対称に構成されるため、例え、人１４がマスクフィルタ１０を上下逆転して装着しても、珪藻土顆粒粉収容部１１ｂが人１４の鼻孔と相対し、珪藻土顆粒粉収容部１１ａが人１４の口と相対するため、やはり、飛沫やエアロゾルに含まれる新型コロナウィルスが人１４の鼻孔や口に到達するのを確実に防止することができる。また、マスクフィルタ１０、表裏において形態の差が無いため、人１４がマスクフィルタ１０を表裏逆転して装着しても、機能に差が生じることがない。
【００２０】
また、マスクフィルタ１０は、生地と珪藻土顆粒粉１２によって構成され、いずれも水溶することがないため、洗浄水によって洗浄することにより、繰り返して使用することができ、特に、洗浄水に界面活性剤を含ませることにより、新型コロナウィルスを確実に不活性化することができる。
【００２１】
さらに、人１４が女性である場合、ファンデーションがマスクフィルタ１０へ転写されることがあるが、マスクフィルタ１０は肌色に着色された生地によって構成されるため、転写されたファンデーションが目立たない。但し、マスクフィルタ１０を構成する生地の色は肌色に限られず、任意の色を取り得る。
【００２２】
また、メソポア珪藻土からなる各珪藻土顆粒粉１２は、上述したように、表面に多数のメソポアが開口するため、臭いの要因となる各種の微粒子を吸着することができ、高い消臭性を実現することができる。したがって、マスクフィルタ１０は人１４の息の臭いを吸収することができ、人１４が長時間に亘ってマスク１３を装着しても、息の臭いで不快な思いをするのを防ぐことができる。
【００２３】
以上、本考案の好ましい実施の形態について説明したが、本考案は上述した実施の形態に限定されず、その要旨の範囲内で種々の変形及び変更が可能である。
【００２４】
例えば、マスクフィルタ１０において、珪藻土顆粒粉収容部の数は２つに限られず、例えば、図４（Ａ）に示されるように、マスクフィルタ１０’の長手方向に沿って配置される３つの珪藻土顆粒粉収容部１１ａ〜１１ｃを有してもよい。また、各珪藻土顆粒粉収容部１１ａ，１１ｂの向きもマスクフィルタ１０の長手方向に沿う向きではなく、図４（Ｂ）に示されるように、マスクフィルタ１０”の短手方向に沿う向きであってもよい。
【００２５】
さらに、マスクフィルタ１０は２つの略楕円状の生地の貼り合わせによって構成されて全体的に略楕円状を呈するが、例えば、２つの矩形（長方形）の生地の貼り合わせによって構成されて全体的に矩形を呈してもよく、さらに、マスクフィルタ１０の形状は人１４とマスク１３の間に挟むことができれば、任意の形状を取り得る。
【００２６】
また、本考案の要旨はマスクフィルタだけに適用されるものではなく、例えば、マスクそのものに適用してもよい。この場合、図５に示すように、矩形状のマスク１３’の略中央に２つの珪藻土顆粒粉収容部１１ａ，１１ｂが長手方向に沿って配置される。このときも、珪藻土顆粒粉収容部１１ａは、人１４がマスク１３’を装着する際に人１４の鼻孔に相対するように配置され、珪藻土顆粒粉収容部１１ｂは、人１４の口に相対するように配置される。
【符号の説明】
【００２７】
１０  マスクフィルタ
１１ａ，１１ｂ  珪藻土顆粒粉収容部
１２  珪藻土顆粒粉
１３  マスク
１４  人
【図１】
0003228857.tif 000003
【図２】
0003228857.tif 000004
【図３】
0003228857.tif 000005
【図４】
0003228857.tif 000006
【図５】
0003228857.tif 000007